(57)【要約】【課題】  たとえばより複雑なデザインのアップリケを適切に施すことが可能なニードルパンチャーを提供すること。【解決手段】  布地に突き刺される先端１１、および長手方向においてこの先端１１と反対側に位置する頭部１２、を有するニードル１と、先端１１を露出させるようにニードル１を保持するとともに、使用者に把持されるグリップ用部材２と、を備えるニードルパンチャーＡであって、グリップ用部材２は、ニードル１の長手方向一部である被保持部１５ａを保持する保持部２２１と、使用者に把持される部位であるグリップ部２１２と、を有しており、保持部２２１の先端２２１ａは、グリップ部２１２の先端２１２ａよりも頭部１２側に位置する。【選択図】  図６
2014031593.tif 000002
【特許請求の範囲】
【請求項１】
布地に突き刺される先端、および長手方向においてこの先端と反対側に位置する頭部、を有するニードルと、
上記先端を露出させるように上記ニードルを保持するとともに、使用者に把持されるグリップ用部材と、
を備えるニードルパンチャーであって、
上記グリップ用部材は、上記ニードルの長手方向一部である被保持部を保持する保持部と、使用者に把持される部であるグリップ部と、を有しており、
上記保持部の上記先端側端は、上記グリップ部の上記先端側端よりも上記頭部側に位置することを特徴とする、ニードルパンチャー。
【請求項２】
上記グリップ部は、上記先端側に向かうほど太径となるテーパ部を有しており、
上記保持部の上記先端側端は、上記テーパ部よりも上記頭部側に位置している、請求項１に記載のニードルパンチャー。
【請求項３】
上記保持部の上記先端側端が、上記グリップ部よりも上記頭部側に位置している、請求項１または２に記載のニードルパンチャー。
【請求項４】
上記保持部は、内面が上記被保持部に当接する貫通孔を有している、請求項１ないし３のいずれかに記載のニードルパンチャー。
【請求項５】
上記ニードルは、上記先端に繋がる細径部、およびこの細径部に対して上記頭部側に位置し、かつこの細径部よりも太径である太径部を有しており、
上記被保持部は、上記太径部に含まれている、請求項１ないし４のいずれかに記載のニードルパンチャー。
【請求項６】
上記グリップ用部材は、上記グリップ部が形成されるとともに上記保持部を収容する外筒部を有しており、
上記外筒部の上記先端側開口径が、上記ニードルの上記太径部よりも大である、請求項５に記載のニードルパンチャー。
【発明の詳細な説明】
【技術分野】
【０００１】
本発明は、アップリケなどの羊毛手芸等の分野で用いられる手芸用のニードルパンチャーに関する。
【背景技術】
【０００２】
ニードルパンチは、一般的には、不織布の製造に用いられる手法であり、複数のウェブの繊維どうしを重ね合わせた状態において、これらにニードルを突き刺すことによってそれらの繊維どうしを絡ませ、ウェブを結合させる手法である。ただし、このようなニードルパンチは、不織布の製造のみならず、手芸分野においても利用されている。手芸用のニードルパンチを行なうための用具としては、複数本のニードルをグリップ用部材に取り付
けた構造のニードルパンチャーが提案されている（たとえば特許文献１参照）。
【０００３】
手芸分野においては、たとえば、適当な１枚の布地の上にモチーフとしての所望形状のフェルト片を重ね合わせてから、これらにニードルを複数回にわたって突き刺すことが行なわれる。このようにすると、上記フェルト片の繊維が上記布地の繊維に絡まり、このことによってアップリケを施すことができる。特許文献１に記載のニードルパンチャーによれば、複数本のニードルを一括して上記フェルト片に突き刺すことができる。これにより、アップリケを施す作業を効率良く行うことができる。あるいは、羊毛のわた材料にニードルを複数回突き刺すことを繰り返すことにより、このわた材料を球形などの任意の３次元形状に仕立てあげるという、羊毛フェルト手芸にもニードルパンチャーは用いられる。
【０００４】
しかしながら、より複雑なデザインのアップリケを施す場合、フェルト片が細かい線状部分などの小面積の複数の部位が結合された形状となりやすい。このような小面積の部位にニードルを突き刺す場合、複数本のニードルを備えたニードルパンチャーは不適である。特許文献２には、１本のニードルを備えるニードルパンチャーが開示されている。このニードルパンチャーは、小面積の部位にニードルを突き刺すことが意図されている。しかし、このニードルパンチャーにおいては、ニードルのうち先端から離れた頭部側部分がグリップ用部材によって保持されている。そして、このグリップ用部材の中ほどに使用者が把持する部位が設けられている。このため、小面積の部位にニードルの先端を正確に突き刺すためには、把持した部位から遠く離間したニードルの先端を操作するという極めて困難な作業が強いられる。このようなことでは、ニードルパンチャーを用いた手芸を楽しむことが阻害されてしまう。また、一本のニードルのみを備える構成のニードルパンチャーの場合、作業の際の力がその一本のニードルにすべて負荷される。この力によってニードルが誤って折損することなどが懸念される。
【先行技術文献】
【特許文献】
【０００５】
【特許文献１】特開２００４−３０８０４６号公報
【特許文献２】実用新案登録第３１５１５２２号公報
【発明の概要】
【発明が解決しようとする課題】
【０００６】
本発明は、上記した事情のもとで考え出されたものであって、たとえばより複雑なデザインのアップリケを適切に施すことが可能なニードルパンチャーを提供することをその課題とする。
【課題を解決するための手段】
【０００７】
本発明によって提供されるニードルパンチャーは、布地に突き刺される先端、および長手方向においてこの先端と反対側に位置する頭部、を有するニードルと、上記先端を露出させるように上記ニードルを保持するとともに、使用者に把持されるグリップ用部材と、を備えるニードルパンチャーであって、上記グリップ用部材は、上記ニードルの長手方向一部である被保持部を保持する保持部と、使用者に把持される部であるグリップ部と、を有しており、上記保持部の上記先端側端は、上記グリップ部の上記先端側端よりも上記頭部側に位置することを特徴としている。
【０００８】
このような構成によれば、上記ニードルの上記先端に比較的近い位置を把持することにより、より正確な作業を可能としつつ、上記ニードルの比較的短い一部分に過大な応力が集中して発生してしまうことを回避することができる。これにより、フェルト片が細かい線状部分などの小面積の複数の部位が結合された形状である場合に、小面積の部位に上記ニードルを突き刺しつつ、ニードルが誤って折損することを回避することができる。したがって、たとえばより複雑なデザインのアップリケを適切に施すことが可能である。
【０００９】
本発明の好ましい実施の形態においては、上記グリップ部は、上記先端側に向かうほど太径となるテーパ部を有しており、上記保持部の上記先端側端は、上記テーパ部よりも上記頭部側に位置している。
【００１０】
本発明の好ましい実施の形態においては、上記保持部の上記先端側端が、上記グリップ部よりも上記頭部側に位置している。
【００１１】
本発明の好ましい実施の形態においては、上記保持部は、内面が上記被保持部に当接する貫通孔を有している。
【００１２】
本発明の好ましい実施の形態においては、上記ニードルは、上記先端に繋がる細径部、およびこの細径部に対して上記頭部側に位置し、かつこの細径部よりも太径である太径部を有しており、上記被保持部は、上記太径部に含まれている。
【００１３】
本発明の好ましい実施の形態においては、上記グリップ用部材は、上記グリップ部が形成されるとともに上記保持部を収容する外筒部を有しており、上記外筒部の上記先端側開口径が、上記ニードルの上記太径部よりも大である。
【００１４】
本発明のその他の特徴および利点は、添付図面を参照して以下に行う詳細な説明によって、より明らかとなろう。
【図面の簡単な説明】
【００１５】
【図１】本発明に係るニードルパンチャーの一例を示す斜視図である。
【図２】本発明に係るニードルパンチャーの一例を示す側面図である。
【図３】図２のＩＩＩ−ＩＩＩ線に沿う断面図である。
【図４】図２のＩＶ−ＩＶ線に沿う断面図である。
【図５】本発明に係るニードルパンチャーの一例の使用状態を示す側面図である。
【図６】図３のＶＩ−ＶＩ線に沿う使用状態の要部断面図である。
【発明を実施するための形態】
【００１６】
以下、本発明の好ましい実施の形態につき、図面を参照して具体的に説明する。
【００１７】
図１〜図６は、本発明に係るニードルパンチャーの一例を示している。本実施形態のニードルパンチャーＡは、ニードル１、グリップ用部材２、およびキャップ３によって構成されている。
【００１８】
ニードル１は、鉄などの金属製であり、たとえば不織布の製造に用いられるニードルパンチ用のニードルをそのまま用いることが可能である。図６に示すように、ニードル１は、先端１１、頭部１２、細径部１３、中径部１４、および太径部１５を有している。先端１１は、きわめて鋭利な形状とされており、たとえばアップリケを施す際にフェルト片に突き刺す作業を可能とする部位である。頭部１２は、先端１１とは反対側の端部付近に設けられている。本実施形態においては、ニードル１の一部が折り曲げられることによって頭部１２が形成されている。
【００１９】
細径部１３、中径部１４、および太径部１５は、先端１１から頭部１２に向けてこの順で配置されている。細径部１３は、先端１１に繋がる部位であり、たとえば、フェルト片の繊維を好適に絡ませるための複数の微細な突起が形成されている。中径部１４は、細径部１３に繋がっており、その直径が細径部１３の直径よりも若干大とされた部位である。太径部１５は、中径部１４に対して頭部１２側に位置しており、その直径が細径部１３および中径部１４よりも大とされた部位である。
【００２０】
グリップ用部材２は、ニードル１を保持するとともに、使用者によって把持される部位である。本実施形態においては、グリップ用部材２は、外筒部２１、内筒部２２、および押さえ部２３によって構成されている。このような構成のほか、グリップ用部材２をより多くの部品もしくはより少数の部品によって構成してもよい。また、グリップ用部材２を一体成型品として構成してもよい。
【００２１】
外筒部２１は、たとえば樹脂からなり、全体として筒状とされている。外筒部２１は、先細り部２１１、グリップ部２１２、および開口２１３を有している。図６に示すように、外筒部２１は、その内部空間に内筒部２２を収容している。開口２１３は、ニードル１を露出させるために設けられている。本実施形態においては、ニードル１のうち細径部１３が開口２１３から露出する構成となっている。また、開口２１３の開口径は、ニードル１の太径部１５の直径よりも大とされている。
【００２２】
先細り部２１１は、外筒部２１のうち開口２１３に繋がる部位であり、その直径がニードル１の先端１１に向かうほど小となる形状となっている。また、このような形状により、先細り部２１１の内径は、開口２１３から奥方に向かって徐々に大となっている。
【００２３】
グリップ部２１２は、先細り部２１１に対してニードル１の頭部１２側に設けられており、図６において理解の便宜上グリップ部２１２の符号が付された範囲である。図６に示すように、グリップ部２１２は、使用者の指Ｆｇによって把持される部位であり、把持に適した形状とされている。すなわち、本実施形態においては、図１〜図５に示すように、グリップ部２１２は、長手方向において若干くびれた形状とされており、その断面外形が六角形状とされている。グリップ部２１２と先細り部２１１との境界部分が、グリップ部２１２の先端２１２ａである。先端２１２ａは、本発明で言うグリップ部２１２の先端側端に相当する。また、図６に示すように、グリップ部２１２のうち、ニードル１の頭部１２側において拡径が完了した部位が、グリップ部２１２の後端２１２ｂである。グリップ部２１２のうち、先細り部２１１に繋がる先端１１寄りの部位は、テーパ部２１２ｃとされている。テーパ部２１２ｃは、ニードル１の先端１１側に向かうほど断面直径が大とされている。
【００２４】
内筒部２２は、ニードル１を保持するための部位であり、本実施形態においては、図６に示すように外筒部２１の内部空間において図中右方寄りの位置に収容されている。内筒部２２は、たとえば樹脂からなり、その長さが外筒部２１よりも短くたとえば半分程度とされている。内筒部２２は、保持部２２１を含んでいる。保持部２２１は、ニードル１を保持する部位であり、先端２２１ａおよび貫通孔２２１ｂを有している。なお、先端２２１ａは、本発明で言う保持部２２１の先端側端に相当する。保持部２２１は、ニードル１の長手方向一部である被保持部１５ａを保持している。本実施形態においては、被保持部１５ａは、太径部１５の一部として太径部１５に含まれている。貫通孔２２１ｂは、内筒部２２の全長にわたって設けられた貫通孔のうちニードル１の保持に寄与する部分であり、本実施形態においては、図６において理解の便宜上保持部２２１の符号が付された矢印の示す範囲である。貫通孔２２１ｂは、その内径がニードル１の太径部１５とほぼ同等かわずかに大となるように形成されており、その内面がニードル１に当接している。言い換えると、内筒部２２の全長にわたって設けられた貫通孔のうち、図中左方側部分がニードル１の太径部１５に接する程度の内径とされており、この部分が貫通孔２２１ｂとなっている。そして、内筒部２２のうち長手方向において貫通孔２２１ｂが存在する部分が保持部２２１となっている。内筒部２２の全長にわたって設けられた貫通孔のうち、貫通孔２２１ｂよりも図中右方にある部分は、その内径が太径部１５よりも若干大となっており、太径部１５とは積極的には接触しない。また、太径部１５のうち貫通孔２２１ｂと接する部分が被保持部１５ａとなっている。
【００２５】
本実施形態においては、保持部２２１は、先端２２１ａを含みその全体がグリップ部２１２よりもニードル１の頭部１２側に位置している。すなわち、グリップ用部材２において、使用者の指Ｆｇによって把持される部位であるグリップ部２１２が、ニードル１を保持する部位である保持部２２１よりも、ニードル１の先端１１側に位置している。
【００２６】
押さえ部２３は、ニードル１を内筒部２２から外れないように押さえるためのものであり、たとえば樹脂製である。本実施形態においては、図６に示すように、ニードル１は、内筒部２２に対して図中右方から挿入される構成とされている。押さえ部２３は、たとえば外筒部２１に対して係合することにより、外筒部２１および内筒部２２に対して着脱自在とされている。押さえ部２３は、押さえ板２３１を有している。押さえ板２３１は、たとえば金属製の円形板である。押さえ部２３を外筒部２１に係合させると、押さえ板２３１がニードル１の頭部１２を内筒部２２に対して押さえる格好となる。
【００２７】
キャップ３は、たとえば透明な樹脂からなり、先端に向かって徐々に細くなる有底円筒形状部材である。キャップ３は、グリップ用部材２の外筒部２１および押さえ部２３のいずれにも嵌合する形状およびサイズとされている。図２は、キャップ３が外筒部２１に嵌められた状態を示している。この状態は、キャップ３によってニードル１が覆われており、ニードルパンチャーＡが使用されずに保管されるときなどに適した状態である。図５および図６は、キャップ３が押さえ部２３に嵌められた状態を示している。この状態は、ニードル１が露出しており、ニードルパンチャーＡの全長が図２に示された状態よりも長くなっており、使用者が作業するにあたって保持しやすく、ニードルパンチャーＡが使用されるときに適した状態である。
【００２８】
次に、ニードルパンチャーＡの作用について説明する。
【００２９】
ニードルパンチャーＡが使用されるときは、図６に示すように、使用者が指Ｆｇによってグリップ部２１２を把持した状態で、ニードルパンチャーＡ全体が先端１１に向けて（図中左方に向けて）作業対象のフェルト片などに押し当てられる。たとえば、特許文献２に開示された構成のように指Ｆｇによって把持される部位がニードル１を保持する部位よりも先端１１から離間した位置にある構成よりも、先端１１の位置を細かく操作しやすい。これにより、フェルト片が細かい線状部分などの小面積の複数の部位が結合された形状である場合に、このような小面積の部位にニードル１を正確に突き刺しやすい。これに加えて、ニードル１が保持される被保持部１５ａは、グリップ部２１２よりも頭部１２側にある。このため、先端１１に対して比較的近い位置にあるグリップ部２１２において指Ｆｇによって把持するにも関わらず、先端１１から被保持部１５ａまでの距離（先端１１から保持部２２１の先端２２１ａまでの距離）は、比較的長いものとされている。これにより、作業のためにニードルパンチャーＡに負荷された力は、ニードル１の比較的長い上記部分に負荷される。仮に、この力がニードル１の先端寄りの短い部分に負荷されてしまうと、この部分に生じる応力が過大となり、ニードル１が折損するなどの不具合が懸念される。本実施形態においては、作業に伴う力が、ニードル１の先端１１から保持部２２１の先端２２１ａまでの比較的長い部位に負荷されるため、ニードル１に生じる応力を相対的に低減することが可能である。これにより、ニードル１の折損などの不具合を適切に回避することができる。以上より、ニードルパンチャーＡによれば、たとえばより複雑なデザインのアップリケを適切に施すことが可能である。
【００３０】
保持部２２１の先端２２１ａは、ニードル１の太径部１５の中央寄り部分に位置している。作業に伴う力が負荷されると、ニードル１の被保持部１５ａ、特に先端２２１ａに接する部分に大きな応力が生じやすい。このような部分を太径部１５に位置させることにより、ニードル１の折損を適切に回避することができる。
【００３１】
細かい作業を容易としつつ、ニードル１の折損などを回避するには、上述したようにグリップ部２１２が保持部２２１の全体よりもニードル１の先端１１側に位置することが好ましいが、本発明はこれに限定されない。たとえば、指ＦｇによってニードルパンチャーＡを押す力は、グリップ部２１２のうちテーパ部２１２ｃにその大部分が負荷される。このため、保持部２２１の先端２２１ａをテーパ部２１２ｃよりも頭部１２側に位置させることにより、細かい作業を容易としつつ、ニードル１の折損などを回避するという効果が期待できる。さらに、グリップ部２１２の先端２１２ａよりも保持部２２１の先端２２１ａを頭部１２側に位置させれば、たとえば保持部２２１よりもグリップ部２１２が先端１１から離間しているような構成と比べて、細かい作業を容易としつつ、ニードル１の折損などを回避するという効果が期待できる。
【００３２】
ある程度の長さを有する貫通孔２２１ｂの内面をニードル１の太径部１５に当接させることによりニードル１を保持する構成とすることにより、ニードル１がグリップ用部材２に対して不当に傾いたりぐらついたりすることを抑制することができる。
【００３３】
外筒部２１の開口２１３の開口径をニードル１の太径部１５の直径よりも大であるほどの大きさとすることにより、作業中にニードル１の細径部１３が撓んだとしても、ニードル１が外筒部２１に当ってしまうことを回避することができる。
【００３４】
グリップ部２１２に対して先端１１側に先細り部２１１を設けることにより、使用者が作業中に先端１１の位置を的確に視認しやすいという利点がある。
【００３５】
本発明に係るニードルパンチャーは、上述した実施形態に限定されるものではない。本発明に係るニードルパンチャーの各部の具体的な構成は、種々に設計変更自在である。
【符号の説明】
【００３６】
Ａ      ニードルパンチャー
１      ニードル
１１    先端
１２    頭部
１３    細径部
１４    中径部
１５    太径部
１５ａ  被保持部
２      グリップ用部材
２１    外筒部
２１１  先細り部
２１２  グリップ部
２１２ａ  先端（先端側端）
２１２ｂ  後端
２１２ｃ  テーパ部
２１３    開口
２２    内筒部
２２１  保持部
２２１ａ  先端（先端側端）
２２１ｂ  貫通孔
２３    押さえ部
２３１  押さえ板
３      キャップ
【図１】
2014031593.tif 000003
【図２】
2014031593.tif 000004
【図３】
2014031593.tif 000005
【図４】
2014031593.tif 000006
【図５】
2014031593.tif 000007
【図６】
2014031593.tif 000008